(57)【要約】      （修正有）【課題】ＴＤＤ及びＦＤＤの両方のコンポーネントキャリアで、ＵＥに対してキャリアアグリゲーションを構成するアップリンク制御シグナリングを提供する。【解決手段】一次的サービングセル（ＰＣｅｌｌ）として指定される第１のサービングセル（基地局１０１）への接続が確立され、二次的サービングセル（ＳＣｅｌｌ）として指定される第２のサービングセル（基地局１０５）への接続が確立される。ＳＣｅｌｌは、ＰＣｅｌｌとは異なる複信モードを用いる。ＰＣｅｌｌ及びＳＣｅｌｌの複信モードは、ＦＤＤ及びＴＤＤモードから選択される。モバイルデバイスが、ダウンリンクサブフレームにおいてＳＣｅｌｌに対するサブフレームスケジューリングメッセージを受信し、ＰＣｅｌｌの複信モードに基づいてスケジューリングメッセージ肯定応答を送るためにアップリンクサブフレームを選択する。【選択図】図１
2020010376.tif 000002
【特許請求の範囲】
【請求項１】
モバイルデバイスを動作させる方法であって、
一次的サービングセル（ＰＣｅｌｌ）として指定される第１のサービングセルへの接続を確立すること、
二次的サービングセル（ＳＣｅｌｌ）として指定される第２のサービングセルへの接続を確立することであって、前記ＳＣｅｌｌが前記ＰＣｅｌｌとは異なる複信モードを用いること、
ダウンリンクサブフレームにおいて、前記ＳＣｅｌｌに対するサブフレームスケジューリングメッセージを受信すること、及び、
前記ＰＣｅｌｌの前記複信モードに基づいてスケジューリングメッセージ肯定応答を送るためにアップリンクサブフレームを選択すること、
を含み、
前記ＰＣｅｌｌ及びＳＣｅｌｌ複信モードが、周波数分割複信（ＦＤＤ）モード及び時分割複信（ＴＤＤ）モードから選択される、方法。
【請求項２】
請求項１に記載の方法であって、
前記一次的サービングセルがＦＤＤモードで動作し、前記二次的サービングセルがＴＤＤモードで動作する、方法。
【請求項３】
請求項２に記載の方法であって、
前記ＴＤＤ  ＳＣｅｌｌでダウンリンクアサイメント又はアップリンクグラントをスケジューリングするダウンリンク制御情報（ＤＣＩ）フォーマットが、ダウンリンクアサイメントインデックス（ＤＡＩ）フィールドに情報を含まない、方法。
【請求項４】
請求項１に記載の方法であって、
ＦＤＤモードで動作する第１のサービングセルでアップリンクグラントをスケジューリングするダウンリンク制御情報（ＤＣＩ）フォーマットが、ＴＤＤモードで動作する第２のサービングセルに対して必要とされるスケジューリングメッセージ肯定応答の累積数を示す情報をダウンリンクアサイメントインデックス（ＤＡＩ）フィールドに含む、方法。
【請求項５】
請求項１に記載の方法であって、
前記モバイルデバイスが半二重動作のみ可能である、方法。
【請求項６】
請求項５に記載の方法であって、
前記一次的サービングセルがＴＤＤモードで動作し、前記二次的サービングセルがＦＤＤモードで動作し、前記方法が、更に、
前記ＦＤＤ  ＳＣｅｌｌの物理ダウンリンク共有チャネル（ＰＤＳＣＨ）でのダウンリンクアサイメントに対応するハイブリッド自動リピート要求（ＨＡＲＱ）肯定応答に対して、前記ＴＤＤ  ＰＣｅｌｌの同じアップリンク／ダウンリンク構成を適用するように前記モバイルデバイスを構成することを含む、方法。
【請求項７】
請求項１に記載の方法であって、
前記モバイルデバイスがＦＤＤオンリーであり、ＴＤＤキャリアで動作され、前記方法が更に、
前記ＴＤＤキャリアでダウンリンクアサイメントをスケジューリングするダウンリンク制御情報について監視するためサブフレームの限定されたセットを備えて前記モバイルデバイスを構成することを含む、方法。
【請求項８】
請求項７に記載の方法であって、
前記ＰＤＳＣＨでの検出されるＤＬアサイメントがサブフレームにおけるＯＦＤＭシンボルの最大数より少ない数のＯＦＤＭシンボルを含む、サブフレームのセットを前記モバイルデバイスに示すことを更に含む、方法。
【請求項９】
ユーザ機器デバイスであって、
プロセッサ回路、
レシーバ回路、及び
トランスミッタ回路、
を含み、
前記プロセッサ回路が、周波数分割複信（ＦＤＤ）モードで動作する第１のサービングセルへの接続を確立するように、及び時分割複信（ＴＤＤ）モードで動作する第２のサービングセルへの接続を確立するように構成され、
前記第１のサービングセルが一次的サービングセル（ＰＣｅｌｌ）として指定され、前記第２のサービングセルが二次的サービングセル（ＳＣｅｌｌ）として指定され、
前記レシーバ回路が、前記ＳＣｅｌｌに対するダウンリンクサブフレームスケジューリングメッセージを受信するように構成され、
前記トランスミッタ回路が、前記ＰＣｅｌｌの物理アップリンク制御チャネルと、物理アップリンク共有チャネルとの一方で肯定応答メッセージを送信するように構成され、前記肯定応答メッセージが、前記ＳＣｅｌｌに対して受信される前記ダウンリンクサブフレームスケジューリングメッセージに対応する、デバイス。
【請求項１０】
請求項９に記載のデバイスであって、
前記サブフレームスケジューリングメッセージがダウンリンクデータアサイメントを含み、
前記肯定応答メッセージが、前記ＴＤＤ  ＳＣｅｌｌで送信される物理ダウンリンク共有チャネル（ＰＤＳＣＨ）に対する正又は負のハイブリッド自動リピート要求肯定応答（ＨＡＲＱ−ＡＣＫ）を含み、
前記ＨＡＲＱ−ＡＣＫメッセージが、前記ＦＤＤ  ＰＣｅｌｌのＨＡＲＱ−ＡＣＫタイミングフォーマットに従う、デバイス。
【請求項１１】
請求項９に記載のデバイスであって、
前記レシーバ回路が、サブフレームｎにおいて、前記ＴＤＤ  ＳＣｅｌｌで前記物理ダウンリンク共有チャネル（ＰＤＳＣＨ）に対するダウンリンクアサイメントを検出するとき、前記トランスミッタ回路が、
前記ＦＤＤ  ＰＣｅｌｌの前記ＰＵＣＣＨと、
サブフレームｎ＋４におけるＵＬグラントと、
の一方で、ハイブリッド自動リピート要求の正又は負の肯定応答（ＨＡＲＱ−ＡＣＫ）を送信するように構成される、デバイス。
【請求項１２】
請求項９に記載のデバイスであって、
前記レシーバ回路が、前記ＦＤＤ  ＰＣｅｌｌでアップリンクグラントをスケジューリングするダウンリンク制御情報（ＤＯ）フォーマットを検出するとき、前記トランスミッタ回路が、前記ＤＣＩフォーマットのダウンリンクアサイメントインデックス（ＤＡＩ）フィールドに含まれる前記情報に従って、１つ又は複数の正又は負の肯定応答を送信するように構成される、デバイス。
【請求項１３】
ユーザ機器デバイスであって、
プロセッサ回路、
レシーバ回路、及び
トランスミッタ回路、
を含み、
前記プロセッサ回路が、
時分割複信（ＴＤＤ）モードで動作し、且つ、一次的サービングセル（ＰＣｅｌｌ）として指定される、第１のサービングセルへの接続を確立するように、及び
周波数分割複信（ＦＤＤ）モードで動作し、且つ、二次的サービングセル（ＳＣｅｌｌ）として指定される、第２のサービングセルへの接続を確立するように、
構成され、
前記レシーバ回路が、前記ＳＣｅｌｌで、ダウンリンクサブフレームにおいて、物理ダウンリンク共有チャネル（ＰＤＳＣＨ）メッセージを受信するように構成され、
前記トランスミッタ回路が、選択されるアップリンクサブフレームにおいて、前記受信したＰＤＳＣＨメッセージに対応する肯定応答メッセージを送信するように構成される、デバイス。
【請求項１４】
請求項１３に記載のデバイスであって、
前記トランスミッタ回路が、前記ＰＣｅｌｌの前記ＰＵＣＣＨで肯定応答メッセージを送信するように構成される、デバイス。
【請求項１５】
請求項１３に記載のデバイスであって、
前記ダウンリンクサブフレームがサブフレームｎであり、前記選択されたアップリンクサブフレームがサブフレームｎ＋ｋであり、ここで、ｋ≧４であり、ｎ＋ｋが、前記ダウンリンクサブフレームに続く第１の有効アップリンクサブフレームである、デバイス。
【請求項１６】
請求項１３に記載のデバイスであって、
前記トランスミッタ回路が、前記ＰＣｅｌｌ及びＳＣｅｌｌの両方で、同時物理アップリンク制御チャネル（ＰＵＣＣＨ）伝送を送信するように構成される、デバイス。
【請求項１７】
請求項１３に記載のデバイスであって、
前記トランスミッタ回路が、前記ＰＣｅｌｌ及びＳＣｅｌｌで、時分割多重物理アップリンク制御チャネル（ＰＵＣＣＨ）伝送を送信するように構成される、デバイス。
【請求項１８】
請求項１７に記載のデバイスであって、
前記トランスミッタ回路が、前記ＦＤＤ  ＳＣｅｌｌでのアップリンクサブフレームが前記ＴＤＤ  ＰＣｅｌｌでのダウンリンクサブフレームに対応する場合のみ、前記ＦＤＤ  ＳＣｅｌｌのＰＵＣＣＨで送信するように構成される、デバイス。
【請求項１９】
請求項１７に記載のデバイスであって、
前記トランスミッタ回路が、前記サブフレームが前記ＴＤＤ  ＰＣｅｌｌでアップリンクサブフレームである場合、前記ＴＤＤ  ＰＣｅｌｌのＰＵＣＣＨで送信するように構成される、デバイス。
【発明の詳細な説明】
【技術分野】
【０００１】
本願は、全般的に、ワイヤレス通信に関し、特に、ワイヤレス電話通信に関する。
【背景技術】
【０００２】
セルラーワイヤレスネットワークは多数の基地局を含む。各基地局は、そのカバレッジエリアにおけるモバイルユーザに送信し（ダウンリンク又はＤＬ）、モバイルユーザから受信する（アップリンク又はＵＬ）。ワイヤレスセルラーネットワークにおけるデータトラフィックの急増により、増大するユーザ需要に応えるため、ネットワーク容量を急速拡大する必要性が生じている。キャリアアグリゲーションは、ネットワーク容量を増加させるための１つの方法を提供する。キャリアアグリゲーションを用いると、基地局が、同じ又は異なるＲＦ帯域（バンド）において多数のキャリアでデータを同時にモバイルユーザ機器（ＵＥ）に送信、又はモバイルユーザ機器から受信する。例えば、第３世代パートナーシッププロジェクト（３ＧＰＰ）ロングタームエボリューション（ＬＴＥ）規格に準拠するセルラーシステムでは、ＬＴＥリリース１０及び１１において、帯域内動作及び帯域間動作の両方についてキャリアアグリゲーションが標準化されている。モバイルＵＥのコストは、ミキサー、オシレータ、及び特定のＲＦ帯域で機能するように設計される無線増幅器を含むＲＦフロントエンドのコストに大きく依存する。投資の回収を最大にするため、モバイルＵＥベンダーは、周波数分割複信（ＦＤＤ）及び時分割複信（ＴＤＤ）両方のモードで用いることができ、また、全ての地理的領域にわたって最も広く配備されるＲＦ帯域で用いることができる機器を求めて懸命に努力している。
【０００３】
他方、ＲＦスペクトルのコストは、ユビキタス及び高速データレートのワイヤレス通信システムの配備において重大なボトルネックである。セルラーネットワーク事業者は、割り振られたスペクトルチャンクのサイズ（この場合、より高いＲＦ帯域がより良好である）、及び最適化されたカバレッジ（この場合、より低い周波数帯域がより良好な建物内ぺネトレーション（ｉｎ−ｂｕｉｌｄｉｎｇ  ｐｅｎｅｔｒａｔｉｏｎ）を提供する）を含む、幾つかのファクタに基づいて、ＲＦスペクトルを取得する。更に、特定の帯域の広範囲の採用が、モバイルデバイスがその帯域をサポートするであろうことを保証する。これらのファクタに基づいて、ネットワーク事業者は、ＦＤＤ及びＴＤＤの両方の帯域においてスペクトルを所有し得、且つ、ＴＤＤ及びＦＤＤの両方のコンポーネントキャリアで、ＵＥに対してキャリアアグリゲーションを構成することを所望し得る。
【発明の概要】
【０００４】
説明する例において、一次的サービングセル（ＰＣｅｌｌ）として指定される第１のサービングセルへの接続が確立され、二次的サービングセル（ＳＣｅｌｌ）として指定される第２のサービングセルへの接続が確立される。ＳＣｅｌｌはＰＣｅｌｌとは異なる複信モードを用いる。ＰＣｅｌｌ及びＳＣｅｌｌの複信モードは、ＦＤＤ及びＴＤＤモードから選択される。モバイルデバイスが、ダウンリンクサブフレームにおいてＳＣｅｌｌに対するサブフレームスケジューリングメッセージを受信し、ＰＣｅｌｌの複信モードに基づいてスケジューリングメッセージ肯定応答を送るためにアップリンクサブフレームを選択する。
【図面の簡単な説明】
【０００５】
【図１】基地局が、ＦＤＤモードで動作し、３個のセクターを有するマクロセルサイトにおいてマクロカバレッジを提供する、異種配備シナリオにおけるネットワークシステムの透視図である。
【０００６】
【図２】無線フレームｎｆ＋１のサブフレーム７においてＦＤＤ  ＰＣｅｌｌでＰＵＳＣＨを送信するようにスケジュールされたモバイルデバイスのサブフレーム図である。
【０００７】
【図３】モバイルデバイスが、ＦＤＤ  ＳＣｅｌｌ及びＴＤＤ  ＵＬ／ＤＬ構成２を用いるＴＤＤ  ＰＣｅｌｌを備えて構成されるシナリオのサブフレーム図である。
【０００８】
【図４】ＴＤＤ  ＵＬ／ＤＬ構成１を用いる半二重ＴＤＤモバイルデバイスに対してＦＤＤ二次的サービングセルを用いるサブフレーム図である。
【０００９】
【図５】ＦＤＤオンリーのモバイルデバイスに対して二次的サービングセルとしてＴＤＤセルを用いるサブフレーム図である。
【００１０】
【図６】図１のシステム等のネットワークシステムにおいて動作するモバイルユーザ機器及び基地局の内部詳細のブロック図である。
【発明を実施するための形態】
【００１１】
ＦＤＤ‐ＴＤＤジョイント（ｊｏｉｎｔ  ＦＤＤ  ａｎｄ  ＴＤＤ）設計が、ワイヤレス通信システムにおけるキャリアアグリゲーションを提供する。本明細書で説明されるシグナリング方式は、ＬＴＥセルラーネットワーク等のＦＤＤ及び／又はＴＤＤモードで動作する直交周波数分割多重（ＯＦＤＭ）ベースのセルラーシステムに実装され得る。
【００１２】
一実施形態において、ＰＣｅｌｌはＦＤＤモードで動作し、ＳＣｅｌｌはＴＤＤモードで動作する。この構成において、モバイルデバイスは、サブフレームｎにおいてＴＤＤ  ＳＣｅｌｌから物理ダウンリンク共有チャネル（ＰＤＳＣＨ）を受信し、サブフレームｎ＋４においてＦＤＤ  ＰＣｅｌｌにハイブリッド自動リピート要求肯定応答（ＨＡＲＱ  ＡＣＫ）を送信する。
【００１３】
別の実施形態において、ＰＣｅｌｌはＴＤＤモードで動作し、ＳＣｅｌｌはＦＤＤモードで動作する。この構成において、モバイルデバイスは、ＦＤＤ  ＳＣｅｌｌからダウンリンクサブフレームにおいてＰＤＳＣＨを受信し、ＰＤＳＣＨに対応するＨＡＲＱ  ＡＣＫを選択されたアップリンクサブフレームにおいてＴＤＤ  ＰＣｅｌｌに送信する。選択されたアップリンクサブフレームは、ダウンリンクサブフレームに続く、第１の有効アップリンクサブフレームであり得る。一例において、ＰＤＳＣＨを搬送するダウンリンクサブフレームはサブフレームｎであり、選択されたアップリンクサブフレームはサブフレームｎ＋ｋであり、ここでｋ≧４である。
【００１４】
モバイルデバイスは、半二重ＴＤＤモードで動作し得、その場合、ＦＤＤ  ＳＣｅｌｌに送信するときＴＤＤ  ＰＣｅｌｌに対してアップリンク／ダウンリンクサブフレーム構成を用いる。
【００１５】
ＦＤＤ−ＴＤＤジョイントキャリアアグリゲーションのための配備シナリオにおいて、セルラーネットワーク事業者が同じ地理的エリアにＦＤＤ及びＴＤＤの両スペクトルを所有している場合に、ＦＤＤ−ＴＤＤジョイント動作が提案される。例えば、所与の地理的エリアにおいて、８００ＭＨｚのＦＤＤスペクトルと、２．６ＧＨｚのＴＤＤスペクトルとが利用可能であり得る。図１は、基地局１０１が、ＦＤＤモードで動作し、３個のセクター１０２〜１０４を有するマクロセルサイトにおいてマクロカバレッジを提供する異種配備シナリオを示す。基地局１０５は、より高い周波数帯域においてＴＤＤモードで動作し、スモールセル１０６を制御する低電力ノードである。スモールセル１０６は、マクロセルセクター内のホットスポットでのスループットを向上させるための容量ブースターとして用いられ得る。他のシナリオにおいて、マクロセル基地局１０１はＴＤＤモードで動作し得、ホットスポット基地局１０５はＦＤＤモードで動作し得る。基地局１０１及び１０５が、単一のネットワーク事業者によって、又は無線アクセスネットワーク（ＲＡＮ）シェアリングアレンジメントにおける２つ又はそれ以上の異なるネットワーク事業者によって所有及び制御され得る。
【００１６】
この一般的な配置シナリオでは、ＦＤＤ−ＴＤＤジョイント動作の３つのモードは、下記に説明するように、デフォルト単一モード動作、キャリアアグリゲーション、及びノード間アグリゲーションである。
【００１７】
キャリアアグリゲーション（ＣＡ）では、多数のコンポーネントキャリア（ＣＣ）で、データを受信及び送信するようにＵＥが構成され得る。ＭＡＣレイヤの観点から、ＤＬオンリー又は、ＤＬ及びＵＬ両方向のいずれかのデータ伝送が、コンポーネントキャリア（ＣＣ）毎にスケジューリングされる。従って、各コンポーネントキャリアは、各々がその独自のＭＡＣスケジューラを備える、サービングセルとみなされ得る。ＬＴＥシステムでは、アンカーセルが、ネットワークへのモビリティ接続を提供し、一次的サービングセル（ＰＣｅｌｌ）と称される。データトラフィック要求に依存して、基地局は、二次的サービングセル（ＳＣｅｌｌ）として知られる付加的なサービングセルを構成し得る。一配備構成において、一次的及び二次的サービングセルが全て並置される。異なる配備構成において、ＰＣｅｌｌ位置とＳＣｅｌｌ位置を接続するバックホール接続１０７（好ましくは、低レイテンシ及び高スループットを備える）を用いて、ＳＣｅｌｌが、ＰＣｅｌｌとは異なる位置に配備され得る。
【００１８】
ＦＤＤ‐ＴＤＤジョイントキャリアアグリゲーション動作では、ＰＣｅｌｌ（及び場合によっては幾つかのＳＣｅｌｌ）がＦＤＤであり得、１つ又は複数のＳＣｅｌｌがＴＤＤであり得、又はその逆である。ＦＤＤ−ＤＤジョイントキャリアアグリゲーションに対する要求事項としては、マルチモード動作（ＴＤＤ  ＵＥ又はＦＤＤ  ＵＥのいずれかとして）が可能なＵＥ、帯域間キャリアアグリゲーション能力、ＵＬキャリアアグリゲーションジョイント動作であって、これはＵＥに異なるコンポーネントキャリアに対する独立したＵＬタイミングアドバンスをサポートすることも要求する動作、及びＵＥがアップリンク制御情報（ＵＣＩ）を送る先のセルの判定、が含まれる。
【００１９】
ＦＤＤ−ＴＤＤジョイントキャリアアグリゲーション設計では、ハイブリッド自動リピート要求（ＨＡＲＱ）スケジューリング及びフィードバック検討がある。
【００２０】
ＬＴＥシステムでは、キャリアアグリゲーションに対する幾つかの既存の手順及びＤＬ／ＵＬシグナリングは、構成されるサービングセルがＦＤＤモードで動作するかＴＤＤモードで動作するかについて不可知である。重要な違いは、ＨＡＲＱスケジューリング及びＨＡＲＱフィードバック肯定応答（ＨＡＲＱ−ＡＣＫ）タイムラインである。対のＤＬ及びＵＬキャリアをＦＤＤで用いると、（任意のサブフレームにおいて）１ミリ秒の精度でＤＬアサイメント及び／又はＵＬグラントに対してＵＥがスケジューリングされ得る。これに対応して、サブフレームｎにおけるＤＬアサイメントに対するＨＡＲＱ−ＡＣＫフィードバックは、通常のＨＡＲＱ動作に対し、サブフレームｎ＋４において送信される。同様に、サブフレームｎにおけるＵＬグラントに対するＤＬ  ＨＡＲＱ−ＡＣＫフィードバックは、サブフレームｎ＋４において、物理ＨＡＲＱインジケータチャネル（ＰＨＩＣＨ）で送信される。
【００２１】
これに比べて、ＴＤＤは、無線フレームをＤＬ及びＵＬサブフレームに分割し、ＤＬからＵＬへの遷移を可能にするようにガード期間を備える。この結果、ＤＬ／ＵＬ伝送及びＨＡＲＱ−ＡＣＫフィードバックのための機会が限定される。ＬＴＥシステムは、ＤＬ部分（ダウンリンクパイロット時間スロット又はＤｗＰＴＳ）、ガード期間、及びＵＬ部分（アップリンクパイロット時間スロット又はＵｐＰＴＳ）で構成されるスペシャルサブフレームを定義する。
【００２２】
表１に示されるように、ＬＴＥリリース８〜１１において定義される７つのＴＤＤ  ＵＬ／ＤＬ構成がある。所与のセルに対するＴＤＤ  ＵＬ／ＤＬ構成の選択は、セルにおいて観察されるＤＬ及びＵＬトラフィックレート、良好なＵＬカバレッジに対する必要性（例えば、ＵＬヘビーＵＬ／ＤＬ構成を必要とする）、及び時分割同期符号分割多元接続（ＴＤ−ＳＣＤＭＡ）等の他のＴＤＤワイヤレス技術との共存等、幾つかのファクタに依存する。
【表１】
2020010376.tif 000003
【００２３】
表１に示されるように、ＴＤＤモードで動作するとき、データ、又はＨＡＲＱ−ＡＣＫフィードバック、チャネル状態情報（ＣＳＩ）、及びスケジューリング要求等のアップリンク制御情報を送信するために、限定されたＵＬサブフレームが利用可能である。ＵＬサブフレームにおいて、ＵＥは、ダウンリンク関連セットと称されるＭ個のＤＬサブフレームのセットに対してＨＡＲＱ‐ＡＣＫフィードバックを送信するように要求され得る。
【００２４】
表２は、ＬＴＥシステムにおけるＴＤＤ  ＵＬ／ＤＬ構成に対するＨＡＲＱ−ＡＣＫ  ＤＬ関連セットＫを表す。可能なＨＡＲＱ−ＡＣＫフィードバック状態のセットは、正の肯定応答（ＡＣＫ）、負の肯定応答（ＮＡＣＫ）、及び不連続伝送（ＤＴＸ）を含む。従って、Ｍエレメントのセット｛ｋ０，ｋ１，・・・，ｋＭ−１｝では、ＵＥは、ＤＬサブフレーム｛ｎ−ｋ０，ｎ−ｋ１，・・・，ｎ−ｋＭ−１｝に対応するＵＬサブフレームｎにおいてＨＡＲＱ−ＡＣＫフィードバックを生成する。ＴＤＤサービングセルにＤＬアサイメント又はＵＬグラントをスケジューリングするダウンリンク制御情報（ＤＣＩ）フォーマットは、ダウンリンクアサイメントインデックス（ＤＡＩ）フィールドを含む。ダウンリンクアサイメントインデックス（ＤＡＩ）フィールドは、ＨＡＲＱ−ＡＣＫフィードバックが予期されているＤＬサブフレームの数をＵＥに示す。例えば、最大Ｍ個のＤＬサブフレーム｛ｎ−ｋ０，ｎ−ｋ１，・・・，ｎ−ｋＭ−１｝がＨＡＲＱ−ＡＣＫフィードバックを要求し得るＵＬサブフレームｎにおいて、ＤＡＩフィールドはＵＥに対してＭ個より少ないサブフレームが実際にスケジューリングされたことを示し得る。無線フレームが、サブフレーム０〜９として示される１０個のサブフレームを含む。表２において、後続のフレームにおけるサブフレームは、減算ｎ−ｋｉ（ｉ＝０〜Ｍ−ｌの場合）を計算するために、サブフレーム１０〜１９等として示され得る。
【表２】
2020010376.tif 000004
【００２５】
現在のＬＴＥシステムにおけるキャリアアグリゲーションに対する設計制約は、ＰＣｅｌｌの物理アップリンク制御チャネル（ＰＵＣＣＨ）でのみＵＣＩが送信されることである。従って、キャリアアグリゲーションにおける効率的なＦＤＤ−ＴＤＤ  ＨＡＲＱ−ＡＣＫフィードバックは、ＰＣｅｌｌで、どの複信モード（ＦＤＤは全二重、ＴＤＤは半二重である）が動作しているかに依存する。現在のＬＴＥシステムに用いられている幾つかの設計原理が、より効率的なＦＤＤ−ＴＤＤ動作のために再検討され（ｒｅ−ｖｉｓｉｔｅｄ）得る。これらには、ＦＤＤ−ＴＤＤジョイントキャリアアグリゲーション動作に対して新規のＴＤＤ  ＵＬ／ＤＬ構成を導入しないこと、及びＰＣｅｌｌのＰＵＣＣＨでのみＵＣＩを送信することが含まれる。
【００２６】
下記のセクションにおいて、ＰＣｅｌｌがＦＤＤ又はＴＤＤモードのいずれかで動作するケースに対して、異なるＨＡＲＱ−ＡＣＫフィードバック設計を検討する。なお、これらの例を、単一ＳＣｅｌｌの特別なケースを用いて説明するが、この設計は、多数のＳＣｅｌｌを用いるキャリアアグリゲーションに対して一般化されてもよい。
【００２７】
一つのシナリオにおいて、ＰＣｅｌｌがＦＤＤモードで動作し、ＳＣｅｌｌがＴＤＤモードで動作する。ネットワークがＦＤＤ及びＴＤＤセルの混合を含むとき、ＰＣｅｌｌをＦＤＤモードで動作させることの１つの利点は、ＦＤＤ無線フレームの全てのサブフレームがＵＣＩ伝送に対して有効なＵＬサブフレームであることである。従って、ＴＤＤのために付加的なサービングセルが構成されると、ＰＣｅｌｌのためのＵＬサブフレームがＴＤＤ  ＵＬサブフレームのスーパーセットであるので、ＰＵＣＣＨでのＨＡＲＱ−ＡＣＫフィードバックに対して、任意のＴＤＤ  ＵＬ／ＤＬ構成に対するＨＡＲＱ−ＡＣＫフィードバックタイムラインが追従され得る。単一複信モードキャリアアグリゲーションに対して、ＬＴＥリリース１０又はリリース１１のＵＥは、チャネル選択を備えるＰＵＣＣＨフォーマットｌｂ又はＰＵＣＣＨフォーマット３のいずれかのＰＵＣＣＨスキームを用いて構成され得る。同じＰＵＣＣＨスキームは、ＦＤＤ−ＴＤＤ  ＣＡに対して下記のように構成され得る。
【００２８】
１）ＵＥが、物理ダウンリンク制御チャネル（ＰＤＣＣＨ）又は拡張物理ダウンリンク制御チャネル（ＥＰＤＣＣＨ）で、ＤＬアサイメントを検出する場合、アップリンクサブフレームに関連付けられたＭ個のサブフレームの任意の１つにおいて、ＴＤＤ  ＳＣｅｌｌにＰＤＳＣＨをスケジューリングする。
【００２９】
ａ）ＰＵＣＣＨフォーマット３が構成されているとき、ＳＣｅｌｌにＰＤＳＣＨをスケジューリングするＰＤＣＣＨの伝送電力制御（ＴＰＣ）フィールドによって、ＰＵＣＣＨリソースが示される。ここで、ＴＰＣフィールドは、４個の半静的構成されたリソースの１つを示す。
【００３０】
ｂ）単一ＳＣｅｌｌのケースに対して、チャネル選択を備えるＰＵＣＣＨフォーマットｌｂが構成されているとき、
（ａ）ＳＣｅｌｌのＰＤＳＣＨがＰＣｅｌｌからクロススケジューリングされる場合、ＰＣｅｌｌで検出されたＰＤＣＣＨ／ＥＰＤＣＣＨに基づく動的ＰＵＣＣＨアロケーションによって最大２個のリソースが示され得る。
（ｂ）或いは、ＰＤＳＣＨがＳＣｅｌｌにセルフスケジューリングされる場合、ＵＬサブフレームに関連付けられたＭ個のＤＬサブフレームの任意のＤＬサブフレームにおいて、ＰＤＳＣＨをスケジューリングする任意のＰＤＣＣＨ／ＥＰＤＣＣＨのＴＰＣフィールドの値は、半静的に構成されたＰＵＣＣＨリソースの４対のセットの１つを示す。
【００３１】
２）ＵＥが、アップリンクサブフレームに関連付けられたＭ個のサブフレームの任意の１つにおいて、ＴＤＤ  ＳＣｅｌｌにＰＤＳＣＨをスケジューリングするＰＤＣＣＨ／ＥＰＤＣＣＨを検出しない場合、半永続的スケジューリング（ＳＰＳ）リリースを示すＰＤＳＣＨ又はＰＤＣＣＨ／ＥＰＤＣＣＨがサブフレームｎ‐４におけるＰＣｅｌｌにおいて検出された場合のみ、ＵＥは、サブフレームｎにおいてＦＤＤ  ＰＣｅｌｌのＰＵＣＣＨで送信する。
【００３２】
ＰＣｅｌｌがＦＤＤモードで動作されるとき、ＨＡＲＱ−ＡＣＫフィードバックが、ＴＤＤ  ＳＣｅｌｌに対して最適化され得る。具体的には、ＴＤＤ  ＳＣｅｌｌで送信されたＰＤＳＣＨに対するＨＡＲＱ−ＡＣＫタイミングが、ＦＤＤ  ＰＣｅｌｌでのＨＡＲＱ−ＡＣＫタイミングを追従する。従って、ＵＥは、サブフレームｎ−４においてＴＤＤ  ＳＣｅｌｌで検出されたＰＤＳＣＨに対して、サブフレームｎにおいてＰＣｅｌｌのＰＵＣＣＨにＨＡＲＱ−ＡＣＫフィードバックを送信する。ＰＵＣＣＨフォーマット３が構成されるとき、ＰＵＣＣＨリソースはＴＤＤ  ＳＣｅｌｌでＰＤＳＣＨをスケジューリングするＰＤＣＣＨ／ＥＰＤＣＣＨのＴＰＣフィールドによって示される。同様に、チャネル選択を備えるＰＵＣＣＨフォーマットｌｂが構成されるとき、ＳＣｅｌｌ、ＰＤＳＣＨに対応する最大２つのＰＵＣＣＨリソースが、ＳＣｅｌｌにＰＤＳＣＨをスケジューリングするＰＤＣＣＨ／ＥＰＤＣＣＨのＴＰＣフィールドによって示される。このスキームは、ダウンリンク関連セット（任意のＵＬ／ＤＬ構成の場合、Ｍ＝１）の必要性をなくす。従って、ＨＡＲＱ−ＡＣＫタイミングがＦＤＤ  ＰＣｅｌｌ  ＨＡＲＱ−ＡＣＫタイミングを追従するので、ＰＣｅｌｌがＦＤＤモードで動作しているとき、ＴＤＤ  ＳＣｅｌｌにＤＬアサイメント又はＵＬグラントをスケジューリングするＤＣＩフォーマットにおいて、ＤＡＩフィールドが不要である。
【００３３】
別の検討事項は、ＵＥがＰＵＳＣＨで送信されるとき、ＰＵＳＣＨでＨＡＲＱ−ＡＣＫビットをどのように多重化するかである。ＬＴＥリリース１１のＴＤＤにおいて、構成されたサービングセルに対してＰＵＳＣＨで送信されるＨＡＲＱ−ＡＣＫビットの数は、ＤＬ関連セットＭのサイズ、又はＰＤＣＣＨ／ＥＰＤＣＣＨで送信されるＤＬアサイメントに又はＵＬグラントに含まれるＤＡＩ値に依存する。０から９のサブフレームが、ＰＤＣＣＨ／ＥＰＤＣＣＨのＤＡＩ値によって示され得る。これに対し、ＬＴＥリリース１１のＦＤＤサービングセルでは、ＨＡＲＱ−ＡＣＫビットの数は、構成されるサービングセルの数、及び各ＦＤＤサービングセルに対して構成されるダウンリンク伝送モードに基づく。
【００３４】
図２はＦＤＤモードのＰＣｅｌｌ及びＴＤＤ  ＵＬ／ＤＬ構成２のＳＣｅｌｌを備えるキャリアアグリゲーションを示す。ＴＤＤ  ＳＣｅｌｌでは、無線フレームｎｆのＤＬサブフレーム４及び５におけるＳＣｅｌｌに対するＤＬアサイメントが、無線フレームｎｆ＋１のＵＬサブフレーム２においてＵＥによって肯定応答（ＨＡＲＱ−ＡＣＫフィードバック）される。無線フレームｎｆ＋１のスペシャルサブフレーム１のＳＣｅｌｌに対するＤＬアサイメントが、無線フレームｎｆ＋１のＵＬサブフレーム７のＵＥによって肯定応答される。これに対し、ＦＤＤ  ＰＣｅｌｌでは、ＦＤＤ  ＰＣｅｌｌが、それぞれＤＬ及びＵＬに対して一対のＣＣを有するので、各ＤＬサブフレームｎは、４個後のサブフレーム（ｎ＋４）である対応するＵＬサブフレームに、常に一意に関連付けられ得る。例えば、無線フレームｎｆのサブフレーム８におけるＤＬアサイメントが、無線フレームｎｆ＋１のＵＬサブフレーム２において肯定応答される。また、無線フレームｎｆのサブフレーム８においてＤＬアサイメントに加えてＵＬグラントが送信されると、ＵＥは、ＵＥがＰＵＣＣＨ及びＰＵＳＣＨの同時伝送に対して構成されていない場合、ＰＵＳＣＨでＨＡＲＱ−ＡＣＫフィードバックを送信する。ＵＬサブフレームｎ＋４におけるフィードバックが、ＤＬサブフレームｎにおいてＰＤＳＣＨで送信されたＤＬアサイメントに対応するので、ＦＤＤではＤＡＩフィールドが不要である。
【００３５】
ＦＤＤ−ＴＤＤジョイントキャリアアグリゲーション動作では、ＰＵＳＣＨでのＨＡＲＱ−ＡＣＫフィードバックで、ＦＤＤセルに対するＨＡＲＱ−ＡＣＫフィードバックを考慮する必要があり得る。しかしながら、現在のＦＤＤオンリーキャリアアグリゲーション動作において、ダウンリンク制御情報（ＤＯ）フォーマットはＤＡＩフィールドを有さない。ＦＤＤ−ＴＤＤジョイントキャリアアグリゲーション動作を効率的にサポートするための、２つの可能な解決策を下記に説明する。
【００３６】
解決策１：ＦＤＤセルにおいてＤＣＩフォーマットがＤＡＩフィールドを有さない現在の設計を維持する。
【００３７】
１）  ＦＤＤサービングセルでのＰＵＳＣＨ伝送の場合
【００３８】
ａ）  サービングセルインデックスに従って、ＨＡＲＱ−ＡＣＫビットを配置する。ここで、０がＰＣｅｌｌの場合、１が第１のＳＣｅｌｌ等である。
【００３９】
ｂ）  ＦＤＤセルの場合、構成された伝送モードがそれぞれ１個のトランスポートブロックをサポートするか又は２個のトランポートブロックをサポートするかに依って、１又は２個のＨＡＲＱ−ＡＣＫビットを生成する。
【００４０】
ｃ）  ｃ番目のＴＤＤセルの場合、構成された伝送モードがそれぞれ１個のトランスポートブロックをサポートするか又は２個のトランポートブロックをサポートするかに依って、ＢｃＤＬ又は２ＢｃＤＬを生成する。ここで、ＢｃＤＬ＝Ｍである。
【００４１】
代替の実施態様において、ＵＥは、ＤＬ関連セット｛ｎ−ｋｍ｝、ｍ＝０，・・・，Ｍ−１に対してＳＣｅｌｌにＰＤＳＣＨをスケジューリングする最も最近検出されたＰＤＣＣＨ／ＥＰＤＣＣＨにおける
2020010376.tif 000005
の値に基づいて、ＴＤＤ  ＳＣｅｌｌに対するＨＡＲＱ−ＡＣＫフィードバックを判定する。従って、このＴＤＤセルに対して、生成されるＨＡＲＱ−ＡＣＫビットの数は、
2020010376.tif 000006
である。
【００４２】
ｄ）  図２は、ＴＤＤ  ＵＬ／ＤＬ構成２を用いるＳＣｅｌｌについての例を示す。無線フレームｎｆ＋１のＵＬサブフレーム２において、ＵＥは、無線フレームｎｆにおけるＴＤＤ  ＳＣｅｌｌのサブフレーム４及び５及びＦＤＤ  ＰＣｅｌｌのサブフレーム８において検出されたＤＬアサイメントに対応するＨＡＲＱ−ＡＣＫフィードバックを送信する。
【００４３】
２）  ＴＤＤサービングセルでのＰＵＳＣＨ伝送の場合
【００４４】
ａ）ＰＵＳＣＨ伝送が、ＤＣＩフォーマット０／４を備える検出されたＰＤＣＣＨ／ＥＰＤＣＣＨに基づいて調節されない場合、
2020010376.tif 000007
を備えるＦＤＤサービングセルでのＰＵＳＣＨ伝送について上述したものと同じビット順及び生成ビット数を追従する。
【００４５】
ｂ）ＰＵＳＣＨ伝送が、ＵＬ  ＤＣＩフォーマット０／４を搬送する検出されたＰＤＣＣＨ／ＥＰＤＣＣＨに基づいて調節される場合、
【００４６】
ｉ）ｃ番目のＴＤＤセルでは、
2020010376.tif 000008
であり、ここで、
2020010376.tif 000009
は、検出されたＤＣＩフォーマット０／４のＤＡＩ値である。
【００４７】
ｉｉ）一実施形態において、ビット順は、ＦＤＤサービングセルで送信されたＰＵＳＣＨに対して上述されたように、セルインデックスに従って判定される。
【００４８】
ｉｉｉ）別の実施形態において、１つ又は複数のＦＤＤサービングセルに対して生成されたＨＡＲＱ−ＡＣＫビットは、ＴＤＤサービングセルに対するＨＡＲＱ−ＡＣＫビットに付加される（そのため、それらは最下位ビットである）。従って、ＴＤＤサービングセルでサブフレームｎに対してＵＬグラントが検出されるとき、ＦＤＤサービングセルのサブフレームｎ−４においてＰＤＳＣＨ又はＳＰＳリリースＤＣＩがなかった場合、ビットマッピングは、ＴＤＤオンリーキャリアアグリゲーションの場合と同じである。
【００４９】
解決策２：ＦＤＤサービングセルにおいて、ＤＣＩフォーマットに対してＤＡＩフィールドを追加する。このＤＡＩフィールドは、任意に構成されたＴＤＤサービングセルについてフィードバックを要求するサブフレームの総数を（ＵＥに対して）示し得る。この解決策は、ＵＥが、ＵＬサブフレームｎに対して、ＤＬ関連セット内のすべてのスケジューリングアサイメントを失敗した場合、基地局とＵＥとの間のいかなるあり得る曖昧性をも回避する。
【００５０】
ＤＡＩフィールドの長さは２ビットであり得るが、他の実施形態において、１ビットＤＡＩフィールドが定義され得る。ＤＡＩフィールドは、
2020010376.tif 000010
を備える少なくとも１つの構成されたＴＤＤサービングセルに対してフィードバックが必要であることを（ＵＥに）示すために用いられる。主要目的が、ＦＤＤセルにおいてＰＵＳＣＨを送信するときに、ＴＤＤセルに対してＨＡＲＱ−ＡＣＫフィードバックを含むようにＵＥに通知することであるので、他の値も除外されない。
【００５１】
この解決策は、ＦＤＤ  ＳＣｅｌｌに対するＵＬグラントが、ＨＡＲＱ−ＡＣＫフィードバックを必要とするＴＤＤ  ＰＣｅｌｌのＤＬサブフレームの数を示すためのＤＡＩフィールドを含み得るので、ＴＤＤ  ＰＣｅｌｌ及びＦＤＤ  ＳＣｅｌｌに対しても適用可能である。従って、ＵＥに対して少なくとも１つのＴＤＤサービングセルが構成されるときは必ず、ＦＤＤサービングセルのＰＤＣＣＨ／ＥＰＤＣＣＨに対して、ＤＡＩフィールドが存在し得る。
【００５２】
或いは、サブフレームが、構成されたＴＤＤサービングセルの少なくとも１つに対してリンクされたＤＬ関連セットに対応するＵＬサブフレームでもあるとき、ＤＡＩフィールドはＦＤＤサービングセルのみのために存在する。
【００５３】
図２は、ＵＥが、無線フレームｎｆ＋１のサブフレーム７においてＦＤＤ  ＰＣｅｌｌでＰＵＳＣＨを送信するようにスケジューリングされていることを示す。また、ＤＬアサイメントが、同じフレームのＴＤＤ  ＳＣｅｌｌのサブフレーム１（スペシャルサブフレーム）にある。たとえ、ＵＥがこのＤＬアサイメントを失敗したとしても、ＵＬサブフレーム７に対するＵＬグラントにおけるＤＡＩフィールドの値は、幾つのＤＬサブフレームがＨＡＲＱ−ＡＣＫフィードバックを要求しているかを示す。このメカニズムにより、ＵＥがＴＤＤサービングセルで１つ又は複数のＤＬアサイメントの検出に失敗したことをＵＥが判定し得る。
【００５４】
ＰＣｅｌｌがＴＤＤモードで動作し、少なくとも１つのＳＣｅｌｌがＦＤＤモードで動作するときに、興味深い配備シナリオが生じる。ＰＵＣＣＨ伝送がＰＣｅｌｌでのみ発生するという設計制約に従う場合、これは、ＦＤＤ  ＳＣｅｌｌに対するＨＡＲＱ−ＡＣＫフィードバック機会を制限する。本質的に、それは、ＦＤＤ  ＳＣｅｌｌにＴＤＤ  ＰＣｅｌｌのＨＡＲＱ−ＡＣＫフィードバックタイムラインに追従することを強いる。対のＵＬキャリアを備えないＤＬオンリーＦＤＤサービングセルの場合では、これはデフォルト動作である。しかしながら、ＦＤＤサービングセルが対のＵＬキャリアを有するとき、ＦＤＤ  ＳＣｅｌｌでのＰＤＳＣＨに対応するＨＡＲＱ−ＡＣＫフィードバックを送信するための、より効率的な手段を検討することは意味がある。こうした検討は、下記のシナリオで更により一層重要である。
【００５５】
図３は、ＵＥが、ＦＤＤ  ＳＣｅｌｌ及びＴＤＤ  ＵＬ／ＤＬ構成２を用いるＴＤＤ  ＰＣｅｌｌを備えて構成されるシナリオを示す。ＵＥが、ＦＤＤ  ＳＣｅｌｌのＤＬサブフレームにおけるＰＤＳＣＨ受信に対してスケジューリングされるが、このサブフレームが、図３に示すように、ＰＣｅｌｌのＴＤＤ  ＵＬ／ＤＬ構成に従ったＵＬサブフレームであるケースを検討する。現在のＦＤＤ手順に従って、ＵＥは、サブフレーム６において対応するフィードバックを送信すべきであるが、サブフレーム６は、ＴＤＤ  ＰＣｅｌｌではスペシャルサブフレームである。この問題に対する１つの解決策は、ＳＣｅｌｌのＰＵＣＣＨでＨＡＲＱ−ＡＣＫフィードバックを送信するように、ＵＥを構成することである。この解決策の２つの可能な実装は、（ａ）ＰＣｅｌｌ及びＳＣｅｌｌ両方でのＰＵＣＣＨ−ＰＵＣＣＨ同時伝送、又は（ｂ）時分割多重ＰＵＣＣＨ伝送である。この解決策では、ＳＣｅｌｌのＵＬサブフレームがＴＤＤ  ＰＣｅｌｌのＤＬサブフレームに対応する場合のみ、ＵＥは、ＦＤＤ  ＳＣｅｌｌでＰＵＣＣＨを送信する。或いは、サブフレームが、ＦＤＤ及びＴＤＤサービングセルの両方に対するＵＬサブフレームである場合、ＰＵＣＣＨはＰＣｅｌｌで送信される。
【００５６】
代替の解決策は、ＦＤＤ  ＳＣｅｌｌでのＤＬアサイメントに対応するＨＡＲＱ−ＡＣＫフィードバックを、ＴＤＤ  ＰＣｅｌｌの第１の有効なＵＬサブフレームにおいて送信されるようにスケジューリングすることである。具体的には、ＦＤＤ  ＳＣｅｌｌでのサブフレームｎにおいて検出されるＰＤＳＣＨの場合、ＵＥは、第１の有効なＵＬサブフレームｎ＋ｋにおいて、対応するＨＡＲＱ−ＡＣＫフィードバックを送信し得、ここで、ｋ≧４である。図３の例において、ＨＡＲＱ−ＡＣＫフィードバックは、サブフレーム７においてＰＣｅｌｌで送信される。
【００５７】
非周期的又は周期的ＣＳＩレポーティングが、単一複信モードキャリアアグリゲーションのケースと同様の方式で構成され得る。周期的ＣＳＩレポーティングでは、ＣＳＩレポートの優先順位は、ＰＵＣＣＨレポーティングタイプ及びサービングセルインデックスに基づく。ＰＣｅｌｌがＴＤＤモードで動作するとき、ＰＣｅｌｌのＴＤＤ  ＵＬ／ＤＬ構成に依存して、ＦＤＤ  ＳＣｅｌｌの、チャネル品質インジケータ（ＣＱＩ）／プリコーディング行列インジケータ（ＰＭＩ）レポーティング周期に幾つかの制約が課せられる。例えば、ＰＣｅｌｌがＵＬ／ＤＬ構成５を用いる場合、２ミリ秒のレポーティング周期性が、ＦＤＤ  ＳＣｅｌｌに対するＣＳＩレポーティングの頻繁なドロッピングを暗示し得る。従って、周期的ＣＳＩレポーティング機会又はサブフレームが、ＴＤＤ  ＰＣｅｌｌのＤＬサブフレームと一致する場合、ＵＥはＣＳＩレポートを送信しない。
【００５８】
一般的に、ＦＤＤ‐ＴＤＤキャリアアグリゲーションをサポートするＵＥに対して、全二重能力が必要とされる。しかしながら、半二重ＵＥに、ＦＤＤ‐ＴＤＤ  ＣＡの利点の幾つかを享受させることが可能である。例えば、ＴＤＤサービングセルで無線リソース制御（ＲＲＣ）接続されたＬＴＥリリース１１  ＴＤＤ  ＵＥが、一次的サービングセルと同じＴＤＤ  ＵＬ／ＤＬ構成を用いる二次的サービングセルで、ＰＤＳＣＨを受信するように構成され得る。ＳＣｅｌｌがＦＤＤモードで動作している場合、ＵＥは、ＴＤＤ  ＰＣｅｌｌと同じＵＬ／ＤＬ構成を適用するように構成され得る。
【００５９】
図４は、ＴＤＤ  ＵＬ／ＤＬ構成１を用いる半二重ＴＤＤ  ＵＥに対するＦＤＤ二次的サービングセルの使用を示す。図４に示すように、サブフレーム｛２、３、７、８｝及び｛０、１、４、５、６、９｝は、それぞれ、ＦＤＤ  ＳＣｅｌｌでの半二重ＴＤＤ  ＵＥに対する有効なＤＬ又はＵＬサブフレームではない。このサブフレーム制約は、初期的にネットワークリソースの浪費のように思えるかもしれないが、基地局は、他のＵＥ（ＦＤＤ  ＵＥ、又は、全二重能力を備える他のＴＤＤ  ＵＥ等）を未使用のリソースにアサインすることができる。また、半二重能力を備えるＵＥの性能は、各サービングセルで同じＵＬ／ＤＬ構成が構成されるＴＤＤオンリーキャリアアグリゲーションと同等である。
【００６０】
同様に、ＦＤＤ複信モードのみをサポートするＵＥが、ＳＣｅｌｌのＰＤＳＣＨで、ダウンリンク共有チャネル（ＤＬ−ＳＣＨ）データを受信するように構成され得る。ここで、ＳＣｅｌｌはＴＤＤキャリアに実際に配備される。このシナリオは、ＦＤＤ帯域が周波数においてＴＤＤ帯域と重なるときに可能である。例えば、３ＧＰＰバンド７は、周波数において３ＧＰＰ  ＴＤＤバンド４１と重なるＦＤＤ帯域である。このＲＦ領域のスペクトルを備える事業者は、ＴＤＤ又はＦＤＤキャリアのいずれかとして動作することを選択し得る。ＴＤＤキャリアとして動作されるとき、ＦＤＤオンリーＵＥが、ＴＤＤキャリアでのＤＬサブフレームにマッチするサブフレームの限定されたセットを備えてＵＥを構成することによって、このキャリアでデータを受信するように構成され得る。
【００６１】
図５は、ＦＤＤオンリーＵＥに対する二次的サービングセルとしてのＴＤＤセルの使用を示す。ＵＥは、ＤＬ−ＳＣＨデータについてどのサブフレームを監視すべきであるかを示すビットマップを備えて構成され得る。図５のフレーム（ａ）は、ＴＤＤキャリアがＵＬ／ＤＬ構成１において動作するように構成された例を示す。ＦＤＤオンリーＵＥが、このＴＤＤコンポーネントキャリアで二次的サービングセルを備えて構成され得る。従来、ＦＤＤオンリーＵＥは、ＰＤＣＣＨ又はＥＰＤＣＣＨで送信されるＤＣＩについて、無線フレームの全てのサブフレームを監視する。しかしながら、このＴＤＤキャリアでは、ＦＤＤオンリーＵＥは、サブフレーム｛２、３、７、８｝において送信され得ないＤＣＩをＰＤＣＣＨ／ＥＰＤＣＣＨで監視するためにエネルギーを浪費する必要はない。その理由は、それらのサブフレームは、ＵＬに対して指定されているからである。従って、ＦＤＤ  ＵＥは、ＤＣＩを監視すべきサブフレームの限定されたセットを特定するビットマップを備えて構成される。
【００６２】
図５のフレーム（ｂ）に示されるように、ＦＤＤオンリーＵＥは、サブフレームの限定されたセット｛０、４、５、９｝で、ＳＣｅｌｌからのＤＬ−ＳＣＨデータについて監視する。サブフレームのこの限定されたセットを指定するビットマップは、ＲＲＣシグナリングによって準静的に構成され得る。
【００６３】
異なる実施形態において、ＵＥは、拡張されたビットマップを備えて構成され得る。拡張されたビットマップは、（ａ）ＤＣＩについて監視すべきサブフレームと、（ｂ）ＰＤＳＣＨでの検出されるＤＬアサイメントが、サブフレームにおけるＯＦＤＭシンボルの最大数より少ないＯＦＤＭシンボルに制限されるサブフレームとを示す。これによって、ＵＥがスペシャルサブフレームでＰＤＳＣＨを受信することが可能になる。例えば、ＴＤＤセルがダウンリンクでノーマルサイクリックプレフィクスを適用するとき、スペシャルサブフレーム構成１１は１１個のＯＦＤＭシンボルを含む。従って、ＦＤＤオンリーＵＥは、このサブフレームで１１番目のＯＦＤＭシンボルまでＤＬアサイメントを受信するように構成される。
【００６４】
図５のフレーム（ｃ）は、スペシャルサブフレーム｛１、６｝を含むサブフレームの限定されたセットを示す。ＦＤＤオンリーＵＥが、スペシャルサブフレームにおけるＯＦＤＭシンボルの総数より少ないデータを受信するように構成され得る。
【００６５】
いずれの実施形態（ＤＬサブフレームのみを含む又はＤＬ及びスペシャルサブフレームを含むサブフレームの限定されたセットを用いる）においても、ＵＬキャリアがＦＤＤの場合、ＨＡＲＱ−ＡＣＫタイムラインはＦＤＤ手順に従うべきである。例えば、ＤＬアサイメントがサブフレームｎにおいて受信されると、ＵＥはサブフレームｎ＋４でＨＡＲＱ−ＡＣＫフィードバックを送信する。
【００６６】
図６は、図１のシステム等のネットワークシステムで動作する、モバイルＵＥ６０１及びｅＮＢ等の基地局６０３の内部詳細を図示するブロック図である。モバイルＵＥ６０１は、キャリアアグリゲーション動作において、多数の基地局６０３と通信し得る。モバイルＵＥ６０１は、サーバー、デスクトップコンピュータ、ラップトップコンピュータ、携帯電話、パーソナルデジタルアシスタント（ＰＤＡ）、スマートフォン、又は他の電子デバイス等、種々のデバイスの任意のものを表し得る。幾つかの実施形態において、電子モバイルＵＥ６０１は、ＬＴＥ又はエボルブドユニバーサル地上無線アクセス（Ｅ−ＵＴＲＡ）プロトコルに基づいてｅＮＢ６０２と通信する。或いは、既知の又は将来開発される他の通信プロトコルも用いられ得る。
【００６７】
モバイルＵＥ６０１が、メモリ６０４及びトランシーバ６０５に結合されるプロセッサ６０３を含む。メモリ６０４は、プロセッサ６０３による実行のための（ソフトウェア）アプリケーション６０６をストアする。こういったアプリケーションは、個人又は組織に有用な、任意の既知の又は将来のアプリケーションを含み得る。これらのアプリケーションは、オペレーティングシステム（ＯＳ）、デバイスドライバ、データベース、マルチメディアツール、プレゼンテーションツール、インターネットブラウザ、イーメイラー、ボイスオーバーインターネットプロトコル（ＶＯＩＰ）ツール、ファイルブラウザ、ファイアウォール、インスタントメッセージング、ファイナンスツール、ゲーム、ワードプロセッサ、又はその他のカテゴリに分類され得る。アプリケーションの厳密な種類に拘らず、アプリケーションの少なくとも幾つかが、モバイルＵＥ６０１に、ＵＬ信号をｅＮＢ（基地局）６０２にトランシーバ６０５を介して周期的に又は連続的に送信するように指示し得る。
【００６８】
トランシーバ６０５はアップリンクロジックを含み、アップリンクロジックはトランシーバの動作を制御する命令の実行によって実装され得る。これらの命令の幾つかが、メモリ６０４にストアされ得、プロセッサ６０３によって必要とされるとき実行され得る。アップリンクロジックの構成要素は、トランシーバ６０５の物理（ＰＨＹ）レイヤ及び／又は媒体アクセス制御（ＭＡＣ）レイヤを含み得る。トランシーバ６０５は、１つ又は複数のレシーバ６０７及び１つ又は複数のトランスミッタ６０８を含む。
【００６９】
プロセッサ６０３が、種々の入力／出力デバイス６０９とデータの送信又は受信を行い得る。加入者識別モジュール（ＳＩＭ）カードが、セルラーシステムを介してコールするために用いられる情報をストア及びリトリーブする。音声データを送受信するためのマイクロフォン及びハンドセットへのワイヤレス接続のためにブルートゥースベースバンドユニットが提供され得る。プロセッサ６０３は、コールプロセスの間、モバイルＵＥ６０１のユーザとの相互作用のためにディスプレイユニットに情報を送り得る。ディスプレイはまた、ネットワークから、ローカルカメラから、又は汎用シリアルバス（ＵＳＢ）コネクタ等の他のソースから受け取るピクチャを表示し得る。プロセッサ６０３はまた、ＲＦトランシーバ６０５を介したセルラーネットワーク又はカメラ等の種々のソースから受け取るビデオストリームをディスプレイに送り得る。
【００７０】
ｅＮＢ６０２は、メモリ６１１、シンボル処理回路要素６１２、及びトランシーバ６１３にバックプレーンバス６１４を介して結合されるプロセッサ６１０を含む。メモリは、プロセッサ６１０による実行のためのアプリケーション６１５をストアする。こういったアプリケーションは、ワイヤレス通信を管理するために有用な既知の又は将来の任意のアプリケーションを含み得る。アプリケーション６１５の少なくとも幾つかが、ｅＮＢ６０２に、モバイルＵＥ６０１への又はモバイルＵＥ６０１からの伝送を管理するように指示し得る。ｅＮＢ６０２は、ＦＤＤ又はＴＤＤモードで動作し得、キャリアアグリゲーションのために基地局（図示されない）と通信し得る。
【００７１】
トランシーバ６１３はアップリンクリソースマネージャを含む。アップリンクリソースマネージャは、ｅＮＢ６０２が、アップリンク物理アップリンク共有チャネル（ＰＵＳＣＨ）リソースをモバイルＵＥ６０１に選択的に割り当てることを可能にする。アップリンクリソースマネージャの構成要素は、トランシーバ６１３の物理（ＰＨＹ）レイヤ及び／又はメディアアクセス制御（ＭＡＣ）レイヤを含み得る。トランシーバ６１３は、ｅＮＢ６０２の範囲内の種々のＵＥからの伝送を受け取るための少なくとも１つのレシーバ６１７、及び、ｅＮＢ６０２の範囲内の種々のＵＥへデータ及び制御情報を送信するための少なくとも１つのトランスミッタ６１６を含む。
【００７２】
アップリンクリソースマネージャは、トランシーバ６１３の動作を制御する命令を実行する。これらの命令の幾つかが、メモリ６１１に配置され得、プロセッサ６１０で必要とされるとき実行され得る。リソースマネージャは、ｅＮＢ６０２によって受け持たれる各ＵＥ６０１に割り当てられた伝送リソースを制御し、制御情報をＰＤＣＣＨを介してブロードキャストする。ＵＥ６０１は、ｅＮＢ６０２からＴＴＤ  ＵＬ／ＤＬ構成命令を受け取り得る。
【００７３】
シンボル処理回路要素６１２は、既知の技術を用いて復調を行なう。ランダムアクセス信号がシンボル処理回路要素６１２において復調される。音声データ又は他のアプリケーションデータの送信及び受信の間、レシーバ６１７は、ＵＥ６０１からランダムアクセス信号を受信し得る。ランダムアクセス信号は、ＵＥ６０１にとって好ましいメッセージサイズを要求するように符号化される。ＵＥ６０１は、ｅＮＢ６０２によって提供されるメッセージ閾値を用いることによって、好ましいメッセージサイズを判定する。
【００７４】
モバイルデバイス６０１が、サブフレームｎにおいてＴＤＤ  ＳＣｅｌｌ  １０５からＰＤＳＣＨを受信すると、モバイルデバイス６０１は、サブフレームｎ＋４においてＨＡＲＱ−ＡＣＫをＦＤＤ  ＰＣｅｌｌ  １０１に送信する。モバイルデバイス６０１は、ダウンリンクサブフレームにおいてＦＤＤ  ＳＣｅｌｌ  １０５からＰＤＳＣＨを受信すると、モバイルデバイス６０１は、選択されたアップリンクサブフレームにおいてＰＤＳＣＨに対応するＨＡＲＱ−ＡＣＫをＴＤＤ  ＰＣｅｌｌ  １０１に送信する。選択されたアップリンクサブフレームは、ダウンリンクサブフレームに続く第１の有効なアップリンクサブフレームであり得る。例えば、ＰＤＳＣＨを搬送するダウンリンクサブフレームがサブフレームｎであり、選択されたアップリンクサブフレームがサブフレームｎ＋ｋであり、ここでｋ≧４である。
【００７５】
本発明の特許請求の範囲内で、説明された実施形態に変更が成され得、また他の実施形態が可能である。
【図１】
2020010376.tif 000011
【図２】
2020010376.tif 000012
【図３】
2020010376.tif 000013
【図４】
2020010376.tif 000014
【図５】
2020010376.tif 000015
【図６】
2020010376.tif 000016
【手続補正書】
【提出日】令和1年10月6日(2019.10.6)
【手続補正１】
【補正対象書類名】特許請求の範囲
【補正対象項目名】全文
【補正方法】変更
【補正の内容】
【特許請求の範囲】
【請求項１】
モバイルデバイスを動作させる方法であって、
周波数分割複信（ＦＤＤ）モードで動作して１次的サービングセル（ＰＣｅｌｌ）として指定される第１のサービングセルへの接続を確立することと、
時分割複信（ＴＤＤ）モードで動作して２次的サービングセル（ＳＣｅｌｌ）として指定される第２のサービングセルへの接続を確立することと、
前記ＳＣｅｌｌに対するダウンリンクサブフレームスケジューリングを受信することと、
前記ＳＣｅｌｌに対するダウンリンクサブフレームスケジューリングメッセージに対応する肯定応答メッセージを前記ＰＣｅｌｌの物理アップリンク制御チャネル（ＰＵＣＣＨ）又は物理アップリンク共有チャネル（ＰＵＳＣＨ）で送信することと、
を含む、方法。
【請求項２】
請求項１に記載の方法であって、
前記ダウンリンクサブフレームスケジューリングメッセージがダウンリンクデータアサイメントを含み、
前記肯定応答メッセージが前記ＴＤＤ  ＳＣｅｌｌで送信される物理ダウンリンク共有チャネル（ＰＤＳＣＨ）に対する正又は負のハイブリッド自動リピート要求肯定応答を含み、
前記ＨＡＲＱ−ＡＣＫが前記ＦＤＤ  ＰＣｅｌｌのＨＡＲＱ−ＡＣＫタイミングフォーマットに続く、方法。
【請求項３】
請求項１に記載の方法であって、
サブフレームｎにおける前記ＴＤＤ  ＳＣｅｌｌの物理ダウンリンク共有チャネル（ＰＤＳＣＨ）に対するダウンリンクアサイメントを検出することを更に含み、
前記肯定応答メッセージを送信することが、前記ＦＤＤ  ＰＣｅｌｌのＰＵＣＣＨ又はサブフレームｎ＋４におけるアップリンク（ＵＬ）グラントで正又は負のハイブリッド自動リピート要求肯定応答（ＨＡＲＱ−ＡＣＫ）を送信することを含む、方法。
【請求項４】
請求項１に記載の方法であって、
ＦＤＤ  ＰＣｅｌｌでアップリンク（ＵＬ）グラントをスケジューリングするダウンリンク制御情報（ＤＣＩ）フォーマットを検出することと、
前記ＤＣＩフォーマットのダウンリンクアサイメントインデックス（ＤＡＩ）フィールドに収容される情報に従って正又は負の肯定応答の１つ又は複数を送信することと、
を更に含む、方法。
【請求項５】
モバイルデバイスを動作させる方法であって、
時分割複信（ＴＤＤ）モードで動作して１次的サービングセル（ＰＣｅｌｌ）として指定される第１のサービングセルとの接続を確立することと、
周波数分割複信（ＦＤＤ）モードで動作して２次的サービングセル（ＳＣｅｌｌ）として指定される第２のサービングセルとの接続を確立することと、
前記ＳＣｅｌｌのダウンリンクサブフレームにおいて物理ダウンリンク共有チャネル（ＰＤＳＣＨ）メッセージを受信することと、
選択されるアップリンｊクサブフレームにおいて前記受信したＰＤＳＣＨメッセージに対応する肯定応答メッセージを送信することと、
を含む、方法。
【請求項６】
請求項５に記載の方法であって、
前記肯定応答メッセージを送信することが、前記ＰＣｅｌｌの物理アップリンク制御チャネル（ＰＵＣＣＨ）で肯定応答メッセージを送信することを含む、方法。
【請求項７】
請求項５に記載の方法であって、
前記ダウンリンクサブフレームがサブフレームｎであり、前記選択されるアップリンクサブフレームがサブフレームｎ＋ｋであり、ｋ≧４であり、ｎ＋ｋが前記ダウンリンクサブフレームに続く第１の有効アップリンクサブフレームである、方法。
【請求項８】
ユーザ機器デバイスであって、
プロセッサ回路であって、
周波数分割複信（ＦＤＤ）モードで動作して第１のサービングセル（ＰＣｅｌｌ）として指定される第１の基地局への接続を確立し、
時分割複信（ＴＤＤ）モードで動作して第２のサービングセル（ＳＣｅｌｌ）として指定される第２の基地局への接続を確立する、
ように構成される、前記プロセッサ回路と、
前記ＳＣｅｌｌからサブフレームスケジューリングメッセージを受信するように構成されるレシーバ回路と、
前記ＰＣｅｌｌに肯定応答メッセージを送信するように構成されるトランスミッタ回路であって、前記肯定応答メッセージが前記ＳＣｅｌｌに受信される前記サブフレームスケジューリングメッセージに対応する、前記トランスミッタ回路と、
を含む、ユーザ機器デバイス。
【請求項９】
請求項８に記載のユーザ機器デバイスであって、
前記サブフレームスケジューリングメッセージがＴＤＤアップリンク又はダウンリンクコンフィギュレーションを含み、
前記肯定応答メッセージがハイブリッド自動リピート要求肯定応答（ＨＡＲＱ−ＡＣＫ）を含む、ユーザ機器デバイス。
【請求項１０】
請求項８に記載のユーザ機器デバイスであって、
前記レシーバ回路が、サブフレームｎにおいて前記ＴＤＤ  ＳＣｅｌｌからの物理ダウンリンク共有チャネル（ＰＤＳＣＨ）を検出するときに、前記トランスミッタ回路が、サブフレームｎ＋４においてハイブリッド自動リピート要求肯定応答（ＨＡＲＱ−ＡＣＫ）を送信する、ユーザ機器デバイス。
【請求項１１】
ユーザ機器デバイスであって、
プロセッサ回路であって、
時分割複信（ＴＤＤ）モードで動作して１次的サービングセル（ＰＣｅｌｌ）として指定される第１の基地局への接続を確立し、
周波数分割複信（ＦＤＤ）モードで動作して２次的サービングセル（ＳＣｅｌｌ）として指定される第２の基地局への接続を確立する、
ように構成される、前記プロセッサ回路と、
前記ＳＣｅｌｌからダウンリンクサブフレームにおいて物理ダウンリンク共有チャネル（ＰＤＳＣＨ）メッセージを受信するように構成されるレシーバ回路と、
選択されるアップリンクサブフレームにおいて前記ＰＤＳＣＨメッセージに対応する肯定応答メッセージを前記ＰＣｅｌｌに送信するように構成されるトランスミッタ回路であって、前記選択されるアップリンクサブフレームが前記ダウンリンクサブフレームに続く第１の有効アップリンクサブフレームである、前記トランスミッタ回路と、
を含む、ユーザ機器デバイス。
【請求項１２】
請求項１１に記載のユーザ機器デバイスであって、
前記ダウンリンクサブフレームがサブフレームｎであり、前記選択されるアップリンクサブフレームがサブフレームｎ＋ｋであり、ここで、ｋ≧４である、ユーザ機器デバイス。
【請求項１３】
請求項１１に記載のユーザ機器デバイスであって、
前記プロセッサ回路が、半二重ＴＤＤで動作する、ユーザ機器デバイス。
【請求項１４】
請求項１３に記載のユーザ機器デバイスであって、
前記プロセッサ回路が、前記ＦＤＤ  ＳＣｅｌｌに前記ＴＤＤ  ＰＣｅｌｌのためのアップリンク／ダウンリンクサブフレームコンフィギュレーションを適用する、ユーザ機器デバイス。